(57)【特許請求の範囲】
【請求項１】
便鉢部、この便鉢部の上端開口部の内周縁に設けたリム通水路、このリム通水路に洗浄水を吐水するリム吐水口、前記便鉢部の下流側に連続して設けた便器排水路、及びこの便器排水路の下流側に向けて洗浄水を吐水するジェット吐水口を有する便器本体に洗浄水を供給する便器洗浄装置であって、
前記リム吐水口及び前記ジェット吐水口へ洗浄水を供給する第１給水路と、
この第１給水路に設け、前記リム吐水口及び前記ジェット吐水口から洗浄水を吐水して便器洗浄を行う際、先ず前記リム吐水口から洗浄水を吐水する第１リム洗浄を実行し、その後に連続して前記ジェット吐水口から洗浄水を吐水するジェット洗浄を実行するように給水先を切り替える給水切替機構と、
給水源に連通した主給水路と、
この給水切替機構の上流側の前記第１給水路に連通し、前記主給水路を介して前記給水源から供給される洗浄水を貯留するタンクと、
このタンク内に貯留した洗浄水を前記給水切替機構へ送水し、その際に送水する洗浄水の流量を変更することができる送水機構と、
前記主給水路に設けられた開閉弁と、
この開閉弁より下流側の前記主給水路に設けられた三方弁と、
この三方弁の一方の流出口に連通し、前記給水切替機構、前記タンク及び前記送水機構を介さずに前記給水源から前記リム吐水口に洗浄水を供給する第２給水路と、
を備えていることを特徴とする便器洗浄装置。
【発明の詳細な説明】
【技術分野】
【０００１】
本発明は便器洗浄装置に関する。
【背景技術】
【０００２】
特許文献１の図２には従来の便器洗浄装置が開示されている。この便器洗浄装置は便器本体に洗浄水を供給するものである。便器本体は、便鉢部、この便鉢部の上端開口部の内周縁に設けられたリム通水路、このリム通水路に洗浄水を吐水するリム吐水口、便鉢部の下流側に連続して設けられた便器排水路、及びこの便器排水路の下流側に向けて洗浄水を吐水するジェット吐水口を有している。この便器洗浄装置は、リム吐水口へ洗浄水を供給するリム給水路と、ジェット吐水口へ洗浄水を供給するジェット給水路とを備えている。ジェット給水路には加圧タンクが連結されている。加圧タンクは加圧タンク内に洗浄水を貯留する水道水の静水圧によって洗浄水を加圧状態に貯留することができる。
【０００３】
この加圧タンクは加圧した洗浄水をジェット吐水口へ送水することができる。また、加圧タンクは加圧した洗浄水をリム吐水口へも送水することができる。このように、この便器洗浄装置は、加圧タンク内に加圧状態で貯留した洗浄水をリム吐水口及びジェット吐水口へ送水することができるため、水道水の流動圧が低い場所でもリム通水路や便器排水路へ洗浄水を勢いよく吐水することができる。
【先行技術文献】
【特許文献】
【０００４】
【特許文献１】特開平１１−１４８１６２号公報
【発明の概要】
【発明が解決しようとする課題】
【０００５】
しかし、特許文献１の便器洗浄装置は加圧タンクから略一定の圧力でリム吐水口及びジェット吐水口に洗浄水を送水することになる。このため、便器洗浄の過程において、リム吐水口及びジェット吐水口から吐水される洗浄水の水勢が略一定となり、適宜水勢を調整することができない。
【０００６】
少ない水量の洗浄水で便器洗浄を行うに当たり、洗浄水の流量を多くすることによって、便器洗浄を良好に行うことができる。つまり、加圧タンク内の加圧した洗浄水をジェット吐水口に送水することによって、少ない水量でも流量を多くして、その水勢で便器排水路内の汚物等を良好に搬送することができる。一方、加圧タンク内の洗浄水の圧力が高すぎるとリム吐水口から吐水される洗浄水が便鉢部から飛散してしまったり、リム洗浄時の音が高くなってしまったりするおそれが生じる。このように、この便器洗浄装置では便器洗浄水の水量を少なくすると、便器洗浄を良好に行うことができなくなるおそれがある。また、この便器洗浄装置では、水道水の静水圧以上に洗浄水を加圧することができないため、水道水の静水圧が低い場所では便器洗浄を良好に行うことができないおそれがある。
【０００７】
本発明は、上記従来の実情に鑑みてなされたものであって、少ない水量の洗浄水で便器洗浄を良好に行うことができる便器洗浄装置を提供することを解決すべき課題としている。
【課題を解決するための手段】
【０００８】
本発明の便器洗浄装置は、
便鉢部、この便鉢部の上端開口部の内周縁に設けたリム通水路、このリム通水路に洗浄水を吐水するリム吐水口、前記便鉢部の下流側に連続して設けた便器排水路、及びこの便器排水路の下流側に向けて洗浄水を吐水するジェット吐水口を有する便器本体に洗浄水を供給する便器洗浄装置であって、
前記リム吐水口及び前記ジェット吐水口へ洗浄水を供給する第１給水路と、
この第１給水路に設け、前記リム吐水口及び前記ジェット吐水口から洗浄水を吐水して便器洗浄を行う際、先ず前記リム吐水口から洗浄水を吐水する第１リム洗浄を実行し、その後に連続して前記ジェット吐水口から洗浄水を吐水するジェット洗浄を実行するように給水先を切り替える給水切替機構と、
給水源に連通した主給水路と、
この給水切替機構の上流側の前記第１給水路に連通し、前記主給水路を介して前記給水源から供給される洗浄水を貯留するタンクと、
このタンク内に貯留した洗浄水を前記給水切替機構へ送水し、その際に送水する洗浄水の流量を変更することができる送水機構と、
前記主給水路に設けられた開閉弁と、
この開閉弁より下流側の前記主給水路に設けられた三方弁と、
この三方弁の一方の流出口に連通し、前記給水切替機構、前記タンク及び前記送水機構を介さずに前記給水源から前記リム吐水口に洗浄水を供給する第２給水路と、
を備えていることを特徴とする。
【０００９】
この便器洗浄装置は、送水機構が給水切替機構へ送水する洗浄水の流量を変更することができるため、リム吐水口及びジェット吐水口から吐水する洗浄水の流量を調整して、少ない水量の洗浄水で最も効率的に便器洗浄を行うことができる。つまり、タンクに水道管から洗浄水を供給する場合、その水道水の流動圧が低い場合でも、この便器洗浄装置は最も効率的に便器洗浄を行うことができる。
【００１０】
したがって、本発明の便器洗浄装置は、少ない水量の洗浄水で便器洗浄を良好に行うことができる。
【００１１】
前記送水機構は前記第１リム洗浄時と前記ジェット洗浄時とで前記給水切替機構に送水する洗浄水の流量を変更し得る。この場合、第１リム洗浄時とジェット洗浄時に最適な流量の洗浄水を給水切替機構の送水することができる。このため、この便器洗浄装置は少ない水量の洗浄水で便器洗浄を良好に行うことができる。
【００１２】
前記送水機構は前記第１リム洗浄時より前記ジェット洗浄時の方が前記給水切替機構に送水する洗浄水の流量を多くし得る。この場合、ジェット洗浄時の給水切替機構に送水する洗浄水の流量を多くすることによって、ジェット吐水口から吐水される洗浄水の流量が多くなり、その水勢で便器排水路内の汚物等を良好に搬送することができる。一方、第１リム洗浄時の給水切替機構に送水する洗浄水の流量は、便鉢部の表面に付着した汚物等を洗い落とすために、リム通水路の終端部まで洗浄水を送り、便鉢部の表面全体に洗浄水が確実に供給される程度に調整する。このように、この便器洗浄装置は少ない水量の洗浄水で便器洗浄を良好に行うことができる。
【００１３】
前記送水機構は前記第１リム洗浄時の前記給水切替機構に送水する洗浄水の流量を前記給水源から前記タンクに供給される洗浄水の流量よりも多くし得る。この場合、タンクに供給される洗浄水の給水源の給水圧が低くても、送水機構によって給水切替機構に送水する洗浄水の流量を多くして、リム吐水口から洗浄水を勢いよく吐水することができる。これによって、この便器洗浄装置は、リム通水路の終端部まで洗浄水を送り、便鉢部の表面全体に洗浄水を供給することができ、便器洗浄を良好に行うことができる。
【００１４】
前記便器洗浄装置は、前記タンク、前記送水機構、及び前記給水切替機構を介さずに前記給水源から前記リム吐水口に洗浄水を供給する第２給水路を備えている。この場合、この便器洗浄装置は、前記ジェット洗浄を実行した後に、前記第２給水路を介して前記給水源から洗浄水を前記リム吐水口に供給し、このリム吐水口から洗浄水を吐水する第２リム洗浄を実行する。この第２リム洗浄は給水源の給水圧によってリム吐水口から洗浄水を吐水し、便鉢部に洗浄水を貯留して覆水することができる。覆水は便器排水路から排水されてしまわないように便鉢部に所定水量の洗浄水を貯留すればよい。このため、給水源の給水圧が低くても第２給水路を介して便鉢部に洗浄水を供給して覆水することができる。
【００１５】
前記送水機構は前記ジェット洗浄の終了時に前記給水切替機構に送水する洗浄水の流量を減少し得る。この場合、ジェット吐水口から吐水する洗浄水の流量が少なくなるため、ジェット吐水口から吐水された洗浄水の水勢が弱まり、便器排水路から洗浄水が排水されずに便鉢部に残留して覆水することができる。
【図面の簡単な説明】
【００１６】
【図１】参考例１の便器洗浄装置を備えた便器本体を示す概略図である。
【図２】参考例１の便器洗浄装置を示す概略図である。
【図３】参考例１の便器洗浄装置において、Ａ１はポンプから第１三方弁に送水する洗浄水の流量変化を示し、Ｂは主給水路からタンクに供給される洗浄水の流量変化を示すグラフである。
【図４】参考例２の便器洗浄装置において、Ａ２はポンプから第１三方弁に送水する洗浄水の流量変化を示し、Ｂは主給水路からタンクに供給される洗浄水の流量変化を示すグラフである。
【図５】実施例１の便器洗浄装置を示す概略図である。
【発明を実施するための形態】
【００１７】
本発明の便器洗浄装置を具体化した実施例１と、参考例１及び２について、図面を参照しつつ説明する。
【００１８】
＜参考例１＞
参考例１の便器洗浄装置は、図１及び図２に示すように、便器本体１０に洗浄水を供給するものである。便器本体１０は、便鉢部１１、この便鉢部１１の上端開口部の内周縁に設けたリム通水路１２、及び便鉢部１１の下端部から下流側に連続して設けた便器排水路１３を有している。便器排水路１３は、便鉢部１１の後部の裏面に沿って上昇する上昇流路１３Ａと、上昇流路１３Ａの頂部から屈曲し、垂直下方に向けて延びる下降流路１３Ｂとから構成されている。便器排水路１３は下降流路１３Ｂの下端開口部を連結具１４の上端開口部内に水密状に挿通している。連結具１４は下端開口部を便器本体１０を設置した床面Ｆに引き出した図示しない排水管の流入口に水密状に連結している。
【００１９】
便器本体１０は、リム通水路１２に洗浄水を吐水するリム吐水口１５Ａを有している。リム吐水口１５Ａはリムノズル１５の先端部に形成されている。リムノズル１５は、便器本体１０内の左右一方側の後部からリム通水路１２に向けてリム吐水口１５Ａから洗浄水を吐水するように配置されている。このため、リム吐水口１５Ａから吐水された洗浄水は、リム通水路１２を一方向に流れつつ、便鉢部１１の下方に流れ落ち、便鉢部１１内に旋回流を形成する。
【００２０】
便器本体１０は、便器排水路１３の下流側に向けて洗浄水を吐水するジェット吐水口１６Ａを有している。ジェット吐水口１６Ａはジェットノズル１６の先端部に形成されている。ジェットノズル１６は、便器排水路１３の上昇流路１３Ａの下端部に上昇流路１３Ａに沿って洗浄水を吐水するように取り付けられている。このため、ジェット吐水口１６Ａから吐水された洗浄水は、上昇流路１３Ａに沿って、便器排水路１３内を流れ、汚物等を搬送しつつ、便器排水路１３内にサイホン作用を発生させる。
【００２１】
また、便器本体１０は、便鉢部１１の上端面に図示しない便座及び便蓋を取り付けている。
【００２２】
便器洗浄装置は、リム吐水口１５Ａ及びジェット吐水口１６Ａに洗浄水を供給する第１給水路であるリム給水路２０Ｒ、ジェット給水路２０Ｊ、及び上流側給水路２１を備えている。リム給水路２０Ｒの下流端はリムノズル１５に連通している。ジェット給水路２０Ｊの下流端はジェットノズル１６に連通している。
【００２３】
便器洗浄装置は第１給水路に設けられた給水切替機構である第１三方弁３０を備えている。この第１三方弁３０は、１つの流入口３０Ａと２つの流出口３０Ｒ、３０Ｊを有しており、洗浄水の供給先を２方向に切り替えるものである。第１三方弁３０の一方の流出口３０Ｒはリム給水路２０Ｒの上流端に連通しており、他方の流出口３０Ｊはジェット給水路２０Ｊの上流端に連通している。第１三方弁３０の流入口３０Ａは上流側給水路２１の下流端が連通している。第１三方弁３０は、便器洗浄を行う際、先ず、一方の流出口３０Ｒからリム給水路２０Ｒに洗浄水を流出する。そして、設定時間経過後に、第１三方弁３０は他方の流出口３０Ｊからジェット給水路２０Ｊに洗浄水が流出するように切り替える。
【００２４】
便器洗浄装置は、上流側給水路２１の上流端に連通し、洗浄水を貯留するタンク５０を備えている。タンク５０は給水源である水道管に連通した主給水路５１から洗浄水が供給される。タンク５０は便器本体１０の側面に囲まれた空洞部内に配置される。主給水路５１には開閉弁５２が設けられている。開閉弁５２は、便器洗浄を開始すると開弁し、タンク５０内に設定水量を供給すると閉弁する。
【００２５】
便器洗浄装置は上流側給水路２１に連結した送水機構であるポンプ４０を備えている。このポンプ４０は回転数を制御することができる。このため、ポンプ４０から送水される洗浄水は流量を適宜変更することができる。
【００２６】
次に、このように構成された便器洗浄装置を利用した便器洗浄工程を説明する。
【００２７】
［第１リム洗浄］
便器本体１０の使用者が用便をした後等に図示しない便器洗浄装置のリモコンを操作して便器洗浄を開始する。すると、開閉弁５２が開弁し、ポンプ４０が設定した回転数Ｒ１で駆動する。この際、第１三方弁３０は一方の流出口３０Ｒからリム給水路２０Ｒに洗浄水を流出するように切り替えられている。このため、ポンプ４０から第１三方弁３０に流量Ｓ１で洗浄水が送水される。この洗浄水は第１三方弁３０を経由してリム吐水口１５Ａから流量Ｓ１で吐水される。このようにして、第１リム洗浄が実行される。図３の波線Ａ１で示したグラフはポンプ４０から第１三方弁３０に送水する洗浄水の流量変化であり、図３の実線Ｂで示したグラフは給水源の水道管に連通した主給水路５１からタンク５０に供給される洗浄水の流量変化である。
【００２８】
第１リム洗浄の実行に際し、図３に示すように、水道水の流動圧が低く、主給水路５１からタンク５０に供給される洗浄水の流量Ｓ４が少なくても、ポンプ４０の回転数を制御して、ポンプ４０から第１三方弁３０に送水する洗浄水の流量Ｓ１を主給水路５１からタンク５０に供給される洗浄水の流量Ｓ４よりも多くすることができる。このため、第１リム洗浄時にリム吐水口１５Ａから吐水した洗浄水は、リム通水路１２の終端部まで送られ、便鉢部１１の表面全体に供給することができる。これにより、便鉢部１１の表面に付着した汚物等を確実に洗い落とすことができ、便器洗浄を良好に行うことができる。
【００２９】
［ジェット洗浄］
便器洗浄を開始してｔ１時間を経過すると、第１三方弁３０は他方の流出口３０Ｊからジェット給水路２０Ｊに洗浄水を流出するように切り替わる。さらに、ポンプ４０が設定した回転数Ｒ２で駆動する。これによって、ポンプ４０から第１三方弁３０に流量Ｓ２で洗浄水が送水される。この洗浄水は第１三方弁３０を経由してジェット吐水口１６Ａから流量Ｓ２で吐水される。このようにして、ジェット洗浄が実行される。
【００３０】
ジェット吐水口１６Ａから吐水される洗浄水の流量Ｓ２は、第１リム洗浄の際にリム吐水口１５Ａから吐水される洗浄水の流量Ｓ１よりも多い。このように、ジェット吐水口１６Ａから吐水される洗浄水の流量Ｓ２を多くすることによって、その水勢で便器排水路１３内の汚物等を良好に搬送することができる。また、便器排水路１３内にサイホン作用を発生させることができる。このように、この便器洗浄装置は、リム吐水口１５Ａ及びジェット吐水口１６Ａから吐水する洗浄水の流量を調整して、少ない水量の洗浄水で最も効率的に便器洗浄を行うことができる。
【００３１】
したがって、参考例１の便器洗浄装置は少ない水量の洗浄水で便器洗浄を良好に行うことができる。
【００３２】
［第２リム洗浄］
便器洗浄を開始してｔ２時間を経過すると、第１三方弁３０が一方の流出口３０Ｒからリム給水路２０Ｒに洗浄水を流出するように切り替わる。さらに、ポンプ４０が設定した回転数Ｒ３で駆動する。このため、ポンプ４０から第１三方弁３０に流量Ｓ３で洗浄水が送水される。この洗浄水は第１三方弁３０を経由してリム吐水口１５Ａから流量Ｓ３で吐水される。このようにして、第２リム洗浄が実行される。
【００３３】
便器洗浄を開始してｔ３時間を経過すると、ポンプ４０が停止し、ポンプ４０から第１三方弁３０への洗浄水の送水が停止して第２リム洗浄が終了し、便器洗浄が終了する。第２リム洗浄の際に便鉢部１１に供給された洗浄水によって、便鉢部１１に所定水量の洗浄水が貯留され、覆水することができる。
【００３４】
便器洗浄を開始してｔ４時間を経過すると、開閉弁５２が閉弁する。これによって、タンク５０内に設定した水量の洗浄水を貯留することができ、便器洗浄装置は次の便器洗浄を行うことができる待機状態になる。
【００３５】
＜参考例２＞
参考例２の便器洗浄装置は、第１リム洗浄及びジェット洗浄を実行した後に第２リム洗浄を実行しないで便器洗浄を終了する点で参考例１と異なる。他の構成は参考例１と同じであり、参考例１と同一の構成については同一の符号を付し詳細な説明は省略する。
【００３６】
参考例２の便器洗浄装置は、図４に示すように、ジェット洗浄の終了時（便器洗浄を開始してｔ５時間を経過後）、ポンプ４０の回転数を設定した回転数Ｒ５に減少して駆動する。これによって、ポンプ４０から第１三方弁３０に流量Ｓ５で洗浄水が送水される。この洗浄水は第１三方弁３０を経由してジェット吐水口１６Ａから洗浄水が流量Ｓ５で吐水される。このように、ジェット吐水口１６Ａから吐水される洗浄水の水勢が弱まるため、便器排水路１３から洗浄水が排水されずに便鉢部１１に残留して覆水することができる。
【００３７】
＜実施例１＞
実施例１の便器洗浄装置は、第１リム洗浄及びジェット洗浄を実行した後に実行する第２リム洗浄が、タンク５０、送水機構（ポンプ４０）、及び給水切替機構（第１三方弁３０）を介さずに第２給水路を介して給水源からリム吐水口１５Ａに洗浄水を供給する点で参考例１と異なる。他の構成は参考例１と同じであり、参考例１と同一の構成については同一の符号を付し詳細な説明は省略する。
【００３８】
実施例１の便器洗浄装置は、図５に示すように、給水源である水道管に連通した主給水路５１であって、開閉弁５２の下流側、かつタンク５０の上流側に第２三方弁６０を備えている。この第２三方弁６０は、１つの流入口６０Ａと２つの流出口６０Ｒ、６０Ｔを有しており、洗浄水の供給先を２方向に切り替えるものである。第２三方弁６０の一方の流出口６０Ｒはリム給水路２０Ｒの中間部に連通する第２給水路５３の上流端に連通しており、他方の流出口６０Ｔはタンク５０に連通する主給水路５１に連通している。第２給水路５３は洗浄水が下流側から上流側に逆流しないように逆止弁５４を設けている。
【００３９】
このように構成された便器洗浄装置では、第１リム洗浄、及びジェット洗浄を実行する際には、第２三方弁６０は他方の流出口６０Ｔから主給水路５１を介してタンク５０に洗浄水が流出するように切り替えられている。このため、この便器洗浄装置は、参考例１と同様に、第１リム洗浄、及びジェット洗浄が実行される。
【００４０】
この便器洗浄装置は、ジェット洗浄を実行した後、第２三方弁６０が一方の流出口６０Ｒから第２給水路５３に洗浄水が流出するように切り替わる。このため、この便器洗浄装置では、第２リム洗浄は水道水の給水圧によってリム吐水口１５Ａから洗浄水が吐水される。覆水は便器排水路１３から排水されてしまわないように便鉢部１１に所定水量の洗浄水を貯留すればよい。このため、水道水の給水圧が低くても第２給水路５３を介して便鉢部１１に洗浄水を供給して覆水することができる。
【００４１】
本発明は上記記述及び図面によって説明した実施例１に限定されるものではなく、例えば次のような実施例も本発明の技術的範囲に含まれる。
（１）実施例１では、第１三方弁によってポンプから送水される洗浄水の給水先を切り替えていたが、他の給水切替機構であってもよい。例えば、上流側給水路をリム側給水路とジェット側給水路に分岐し、リム側給水路及びジェット側給水路の夫々に開閉弁を設け、これら開閉弁の開閉を制御することにより洗浄水の給水先を切り替えてもよい。
（２）実施例１では、第１リム洗浄の際、ポンプの回転数を一定にして、リム吐水口から吐水される洗浄水の流量を一定にするようにしたが、第１リム洗浄の間でポンプの回転数を変更してもよい。
（３）実施例１では、タンクを便器本体の側面に囲まれた空洞部内に配置したが、便器本体の外側に配置してもよい。
【産業上の利用可能性】
【００４２】
本発明は水洗式便器に利用可能である。
【符号の説明】
【００４３】
１０…便器本体
１１…便鉢部
１２…リム通水路
１３…便器排水路
１５Ａ…リム吐水口
１６Ａ…ジェット吐水口
２０Ｒ、２０Ｊ、２１…第１給水路（２０Ｒ…リム給水路、２０Ｊ…ジェット給水路、２１…上流側給水路）
３０…第１三方弁（給水切替機構）
４０…ポンプ（送水機構）
５０…タンク
５１…主給水路
５２…開閉弁
５３…第２給水路
６０…第２三方弁（三方弁）
【図１】
0006029725.tif 000002
【図２】
0006029725.tif 000003
【図３】
0006029725.tif 000004
【図４】
0006029725.tif 000005
【図５】
0006029725.tif 000006